(57)【要約】 【課題】  外部足場の存在を前提とせず、しかも迅速に設置や撤去を行う。【解決手段】本発明に係る雨養生シートは、シート本体２と、該シート本体をクレーンで吊持するための吊持部材３とで構成してあり、シート本体２の裏側周縁近傍には、施工途中における建物に結び付けられる結束部材９を取り付けてある。吊持部材３は、ロープ５とその一端に取り付けられた吊持側連結部６と他端に設けられたフック掛止部７とからなり、該フック掛止部は、クレーンのフック８に掛止できるようになっている。シート本体２の中央近傍には吊持用開口４を設けてあるが、該吊持用開口にはシート側連結部３２を配置してあり、該シート側連結部に吊持側連結部６をシート本体２の表側から連結できるとともに、吊持状態では、シート本体２の裏側から吊持側連結部６とシート側連結部３２との連結状態を解除することができるようになっている。【選択図】  図１
2011174315.tif 000002
【特許請求の範囲】
【請求項１】
施工途中における建物に結び付けられる結束部材が周縁近傍に設けられ吊持用開口が中央近傍に形成されたシート本体と、前記吊持用開口に配置されたシート側連結部に連結される吊持側連結部が一端に設けられクレーンのフックに掛止されるフック掛止部が他端に設けられた吊持部材とからなり、前記吊持側連結部は、前記シート本体の一方の側から前記シート側連結部と連結可能になっているとともにその連結状態を前記シート本体の他方の側から解除可能になっていることを特徴とする雨養生シート。
【請求項２】
前記吊持側連結部を吊持側係止部で構成するとともに、前記シート側連結部を前記吊持用開口に取り付けられる蓋体で構成し、該蓋体を前記シート本体の他方の側で着脱できるように構成するとともに、前記吊持側掛止部が掛止される蓋体側掛止部を前記蓋体の背面側に設けた請求項１記載の雨養生シート。
【請求項３】
前記シート側連結部を前記吊持用開口に取り付けられる蓋体で構成するとともに、該蓋体を前記シート本体の他方の側で着脱できるように構成し、前記吊持側連結部を、前記蓋体の内周面に形成された雌ネジに螺合される雄ネジとした請求項１記載の雨養生シート。
【請求項４】
前記シート側連結部を、前記吊持用開口の開口縁部に取り付けられた環状部材と、該環状部材に案内されるようにかつ該環状部材の材軸廻りに回転自在となるように取り付けられた筒状部材とで構成するとともに、前記筒状部材を、前記シート本体の一方の側と他方の側でそれぞれ回転操作可能となるように構成し、前記筒状部材の内面に形成された雌ネジに螺合する雄ネジを前記吊持側連結部に設けた請求項１記載の雨養生シート。
【請求項５】
前記シート側連結部を、前記吊持用開口に設けられた一対の係合爪と、該一対の係合爪を解除位置に移動又は変形させるための操作手段とで構成するとともに、前記一対の係合爪が係止される係止凹部を前記吊持側連結部に形成した請求項１記載の雨養生シート。
【請求項６】
前記シート本体の他方の側から前記シート側連結部に接続可能な排水ホースを備えた請求項１乃至請求項５のいずれか一記載の雨養生シート。
【請求項７】
前記シート本体の他方の側から前記シート側連結部に接続可能な束材を備えた請求項１乃至請求項５のいずれか一記載の雨養生シート。
【請求項８】
前記結束部材を用いた前記建物への前記シート本体の結束の際に該シート本体の周縁と前記建物との間に介在される高さ調整材を備えた請求項１乃至請求項５のいずれか一記載の雨養生シート。
【請求項９】
前記結束部材を、前記シート本体の他方の側であって該シート本体の周縁から前記建物の横架材の梁幅分だけ後退させた位置に取り付けた請求項１乃至請求項５のいずれか一記載の雨養生シート。
【請求項１０】
前記シート本体を矩形状に形成するとともに、その周縁のうち、互いに対向する一対の縁部にシート本体を巻き取る巻取り用ロッドをそれぞれ設けた請求項１乃至請求項５のいずれか一記載の雨養生シート。
【発明の詳細な説明】
【技術分野】
【０００１】
本発明は、主として木造建物、特に在来軸組構法の木造住宅を施工する際に用いられる雨養生シートに関する。
【背景技術】
【０００２】
木造建物、例えば在来軸組構法の木造住宅は、基礎工事に始まり、土台、柱、胴差、桁などからなる外周部軸組の組立、管柱や梁などからなる内部軸組の組立、小屋束、垂木、棟木などからなる屋根廻りの組立（小屋組）へと工程が進んでいくが、適当な時期、例えば上棟が終わった後に外部足場が設置され、かかる外部足場を利用してサッシなどの外部造作や外壁施工などが引き続き行われる。
【０００３】
一方、上述した木造建物を施工するには、少なくとも数ヶ月〜半年程度が建築期間として必要になるため、その間に天候が崩れて降雨になることはやむを得ない。そのため、従来から雨養生シートが適宜用いられてきた。
【先行技術文献】
【特許文献】
【０００４】
【特許文献１】特開２００４−６０３０２号公報
【特許文献２】特開２００１−１８２３３０号公報
【発明の概要】
【発明が解決しようとする課題】
【０００５】
かかる従来の雨養生シートは、建築中の建物の周囲を取り囲むように設置された外部足場に架け渡されるようになっており、かかる構成によって、施工中の建物が全体的に雨養生シートで覆われることとなり（特許文献１，２）、かくして建物内が雨で濡れるのを未然に防止するとともに、降雨時においても良好な作業空間を確保することが可能となる。
【０００６】
しかしながら、外部足場は、建物の周囲を取り囲むものであるため、足場間距離がかなり長くなり、結果として雨養生シート自体も大規模にならざるを得ず、設置や撤去のために時間と手間がかかるという問題を生じていた。
【０００７】
また、従来の雨養生シートは、外部足場の存在を前提としているため、外部足場が組み立てられていない状況では使用できないという問題や、クレーンによる資材の搬出入のために外部足場を一部解体して開口部を設ける場合にはやはり設置が難しいという問題を生じていた。
【課題を解決するための手段】
【０００８】
本発明は、上述した事情を考慮してなされたもので、外部足場の存在を前提とせず、しかも迅速に設置や撤去が可能な雨養生シートを提供することを目的とする。
【０００９】
上記目的を達成するため、本発明に係る雨養生シートは請求項１に記載したように、施工途中における建物に結び付けられる結束部材が周縁近傍に設けられ吊持用開口が中央近傍に形成されたシート本体と、前記吊持用開口に配置されたシート側連結部に連結される吊持側連結部が一端に設けられクレーンのフックに掛止されるフック掛止部が他端に設けられた吊持部材とからなり、前記吊持側連結部は、前記シート本体の一方の側から前記シート側連結部と連結可能になっているとともにその連結状態を前記シート本体の他方の側から解除可能になっているものである。
【００１０】
また、本発明に係る雨養生シートは、前記吊持側連結部を吊持側係止部で構成するとともに、前記シート側連結部を前記吊持用開口に取り付けられる蓋体で構成し、該蓋体を前記シート本体の他方の側で着脱できるように構成するとともに、前記吊持側掛止部が掛止される蓋体側掛止部を前記蓋体の背面側に設けたものである。
【００１１】
また、本発明に係る雨養生シートは、前記シート側連結部を前記吊持用開口に取り付けられる蓋体で構成するとともに、該蓋体を前記シート本体の他方の側で着脱できるように構成し、前記吊持側連結部を、前記蓋体の内周面に形成された雌ネジに螺合される雄ネジとしたものである。
【００１２】
また、本発明に係る雨養生シートは、前記シート側連結部を、前記吊持用開口の開口縁部に取り付けられた環状部材と、該環状部材に案内されるようにかつ該環状部材の材軸廻りに回転自在となるように取り付けられた筒状部材とで構成するとともに、前記筒状部材を、前記シート本体の一方の側と他方の側でそれぞれ回転操作可能となるように構成し、前記筒状部材の内面に形成された雌ネジに螺合する雄ネジを前記吊持側連結部に設けたものである。
【００１３】
また、本発明に係る雨養生シートは、前記シート側連結部を、前記吊持用開口に設けられた一対の係合爪と、該一対の係合爪を解除位置に移動又は変形させるための操作手段とで構成するとともに、前記一対の係合爪が係止される係止凹部を前記吊持側連結部に形成したものである。
【００１４】
また、本発明に係る雨養生シートは、前記シート本体の他方の側から前記シート側連結部に接続可能な排水ホースを備えたものである。
【００１５】
また、本発明に係る雨養生シートは、前記シート本体の他方の側から前記シート側連結部に接続可能な束材を備えたものである。
【００１６】
また、本発明に係る雨養生シートは、前記結束部材を用いた前記建物への前記シート本体の結束の際に該シート本体の周縁と前記建物との間に介在される高さ調整材を備えたものである。
【００１７】
また、本発明に係る雨養生シートは、前記結束部材を、前記シート本体の他方の側であって該シート本体の周縁から前記建物の横架材の梁幅分だけ後退させた位置に取り付けたものである。
【００１８】
また、本発明に係る雨養生シートは、前記シート本体を矩形状に形成するとともに、その周縁のうち、互いに対向する一対の縁部にシート本体を巻き取る巻取り用ロッドをそれぞれ設けたものである。
【００１９】
本発明に係る雨養生シートにおいては、吊持部材の一端に吊持側連結部を設けてあるとともに、該吊持側連結部と連結されるシート側連結部がシート本体の中央近傍に形成された吊持用開口に配置してあり、天候の悪化に応じて、まず、吊持側連結部をシート本体の一方の側からシート側連結部に連結する。
【００２０】
シート本体は、例えばトラックの荷台や資材置き場に載置されている状況が想定されるが、シート側連結部に吊持側連結部を連結することさえできれば、シート本体は例えば折りたたまれた状態で保管されていてもかまわない。
【００２１】
次に、吊持部材の他端に設けられたフック掛止部をクレーンのフックに掛止する。
【００２２】
このようにすると、吊持部材を介してシート本体を吊上げ可能な状態となるので、該シート本体をトラックの荷台や資材置き場から吊り上げ、かかる状態のまま、クレーンブームの旋回動作や伸縮動作によって施工途中の建物の上方位置までシート本体を移動させる。
【００２３】
次に、吊持部材から垂れ下がっているシート本体の裾を周囲に拡げるようにしながら、その周縁近傍に設けられた結束部材を、施工途中の建物の部位であって雨養生の対象となる平面範囲の境界位置に沿った建物部位に結び付ける。
【００２４】
すなわち、建物全体を覆うのであれば、例えば建物外周に位置する横架材である桁や壁の上縁、あるいは垂木の先端等に結び付け、建物の一部を覆うのであれば、例えば建物外周に位置する横架材である桁と建物内側に架け渡された横架材である梁に結び付ける。
【００２５】
結束部材によるシート本体の結束作業は、シート本体がクレーンに吊持された状態で行なわれるため、折りたたみ状態ゆえに展開が困難になる懸念はないし、シートの重さで作業性が低下することもない。加えて、例えば軒桁に上らずとも二階仮床から結束作業を行うことができるため、作業時の安全性を確保することができる。
【００２６】
シート本体の周縁近傍を結束部材を介して施工途中の建物の所定部位に結び付けたならば、その状態であるいは必要に応じて吊持高さを適宜上下させた後、シート本体の他方の側から吊持側連結部とシート側連結部との連結状態を解除し、しかる後、クレーンのフック位置を上昇させて吊持部材を引き上げる。
【００２７】
施工途中の建物としては、小屋組の組立が未だ始まっていない場合と、小屋束、垂木等の軸組部分の組立は終了しているが野地板の施工が未了であるために雨養生が必要になる場合の２つに大別され、前者の場合においては、シート本体は、自重で中央近傍が垂れ下がった、いわばＶ字状に配置され、後者の場合においては、小屋組の軸組部分を覆うように逆Ｖ字状（山状）に配置されることとなるが、いずれにしろ、シート本体は、その周縁が横架材や壁の上縁といった建物部位に結び付けられるので、安定した状態で建物の全体又は建物の一部を覆い、その覆われた範囲を降雨から守る。
【００２８】
また、シート本体を取り付けるために外部足場を一切利用しないため、外部足場は、シート本体の設置によって何らの制限も受けることなく、組立や解体を任意の工程で自在に行うことが可能となり、例えば資材の搬出入のために一部の足場を適宜解体することも可能となる。
【００２９】
天候が回復したならば、結束部材をほどき、吊持部材の一端に設けられた吊持側連結部をシート側連結部に再び連結するとともに他端に設けられたフック掛止部をクレーンのフックに掛止し、しかる後、クレーンでシート本体を吊り上げて建物から撤去するとともに、次の使用に備えて適宜保管しておく。
【００３０】
吊持側連結部及びシート側連結部は、シート本体の一方の側から吊持側連結部をシート側連結部に連結することが可能であって、かつその連結状態をシート本体の他方の側から解除可能である限り、その具体的な構成は任意であり、係合爪と係合凹部を用いた連結、雌ネジと雄ネジを用いた連結、フックとそれを掛ける掛止部を用いた連結など、様々な連結形式を採用することが可能であるし、シート側連結部をシート本体に着脱自在に構成しておくか、シート本体から離脱させない構造にしておくかも任意である。
【００３１】
例えば、吊持側連結部を吊持側係止部で構成するとともに、シート側連結部を吊持用開口に取り付けられる蓋体で構成し、該蓋体をシート本体の他方の側で着脱できるように構成するとともに、吊持側掛止部が掛止される蓋体側掛止部を蓋体の背面側に設けた構成、シート側連結部を吊持用開口に取り付けられる蓋体で構成するとともに、該蓋体をシート本体の他方の側で着脱できるように構成し、吊持側連結部を、蓋体の内周面に形成された雌ネジに螺合される雄ネジとした構成、シート側連結部を、吊持用開口の開口縁部に取り付けられた環状部材と、該環状部材に案内されるようにかつ該環状部材の材軸廻りに回転自在となるように取り付けられた筒状部材とで構成するとともに、筒状部材を、シート本体の一方の側と他方の側でそれぞれ回転操作可能となるように構成し、筒状部材及び吊持側連結部のうち、一方を雄ネジ、他方をそれと螺合する雌ネジとした構成、シート側連結部を、吊持用開口に設けられた一対の係合爪と、該一対の係合爪を解除位置に移動又は変形させるための操作手段とで構成するとともに、一対の係合爪が係止される係止凹部を吊持側連結部に形成した構成などが具体的に採用可能である。
【００３２】
施工途中の建物をシート本体で覆う形態としては、鉛直断面で見たときにシート本体が自重でＶ字状に垂れ下がる場合と、シート本体が逆Ｖ字状（山状）になる場合とが考えられるが、前者は、設置が容易である反面、シート本体に降り注いだ雨水を排水するための手段が別途必要になり、後者は、雨水がシート本体の周縁から自然落下するため、吊持用開口を止水キャップで塞いておけば、排水対策を別途講じる必要はない反面、小屋組の軸組部分に掛ける場合を除き、シート本体の中央を周縁よりも高くすることによる水勾配の確保が別途必要になる。
【００３３】
しかし、シート本体の他方の側からシート側連結部に接続可能な排水ホースを備えるようにすれば、吊持用開口が排水口の機能も併せ持つとともに、Ｖ字状の配置形態が水勾配を形成するため、シート本体に降り注いだ雨水は、吊持用開口に集水された後、排水ホースへと流入し、かくして排水ルートの確保が可能となって前者の欠点を補うことができる。また、シート本体の他方の側からシート側連結部に接続可能な束材を備えるようにすれば、シート本体の中央が周縁よりも高くなる水勾配の確保が可能となり、後者の欠点を補うことができる。
【００３４】
なお、Ｖ字状の配置形態において水勾配を十分にとることが難しい場合には、結束部材を用いた建物へのシート本体の結束の際に該シート本体の周縁と建物との間に介在される高さ調整材を備えるようにすればよい。
【００３５】
かかる構成によれば、シート本体の周縁が高さ調整材の高さ分だけ上方に位置決めされるため、例えば建物外周位置の横架材と同じ高さで建物内側に複数の梁が配置されているために該梁の上にシート本体が載ってほぼ水平配置となる場合であっても、周縁から吊持用開口に向かう水勾配を適切に確保し、シート本体に降り注いだ雨水を速やかに排水することが可能となる。
【００３６】
なお、かかる解決方法に代えて、後述するように、複数の梁で仕切られた平面空間ごとにシート本体をそれぞれ配置するようにしてもかまわない。
【００３７】
一方、シート本体の配置形態を平面配置で見たとき、小屋組の軸組部分に掛ける場合を除き、建物の外周部に位置する横架材で囲まれた平面空間に単体のシート本体を配置する場合と、横架材で囲まれた平面空間ごとにシート本体をそれぞれ配置する場合と、横架材で囲まれた平面空間のうち、所望の平面空間だけにシート本体を配置する場合の３つに分類される。
【００３８】
ここで、複数のシート本体を用いる場合において、結束部材を、シート本体の他方の側であって該シート本体の周縁から建物の横架材の梁幅分だけ後退させた位置に取り付けた構成とすれば、隣り合うシート本体の周縁同士を横架材上で重ねやすくなり、継ぎ目での雨漏りを未然に防止することが可能となる。
【００３９】
シート本体を吊り降ろす際、該シート本体を垂れ下げた状態で吊り降ろす方法に代えて、シート本体を矩形状に形成するとともに、その周縁のうち、互いに対向する一対の縁部にシート本体を巻取る巻取り用ロッドをそれぞれ設けた構成を採用することができる。
【００４０】
かかる構成においては、各巻取り用ロッドにシート本体が半分ずつ巻き取られた状態で該シート本体を吊持し、次いで、この状態で建物の中央近傍に吊り降ろした後、該建物の横架材や壁の上で各巻取り用ロッドを転がすようにしてシート本体を水平２方向に展開し、次いで、シート本体の周縁近傍に設けられた結束部材を建物の横架材や壁の上縁に結び付ける。
【００４１】
このようにすれば、小屋組の組立を未だ開始していない場合、シート本体をより効率よく配置することが可能となる。
【図面の簡単な説明】
【００４２】
【図１】本実施形態に係る雨養生シートの図であり、(a)は雨養生シートを構成するシート本体２の平面図、(b)はシート本体２の背面図、(c)は雨養生シートを構成する吊持部材３の全体図。
【図２】結束部材９を用いてシート本体２の周縁を軒桁２１に結び付ける様子を示した図であり、(a)は鉛直断面図、(b)はＢ−Ｂ線方向から見た矢視図（見上げ図）。
【図３】シート側連結部３２とそれに連結される吊持側連結部６及び排水ホース３９を示した詳細鉛直断面図。
【図４】シート本体２の設置手順を示す全体鉛直断面図。
【図５】設置が完了したシート本体２を示す図であり、(a)は平面図、(b)は鉛直断面図。
【図６】シート本体２の別の設置形態を示した鉛直断面図。
【図７】同じくシート本体２の別の設置形態を示した鉛直断面図。
【図８】シート本体２，２の重なり箇所を示した図であり、(a)は鉛直詳細断面図、(b)は斜視図。
【図９】シート本体２の周縁を立ち上げる場合の様子を示した鉛直断面図。
【図１０】シート本体２の別の設置形態を示した鉛直断面図。
【図１１】別の手順でシート本体２を設置する様子を示した鉛直断面図。
【図１２】シート側連結部及び吊持側連結部の変形例を示した鉛直断面図。
【図１３】シート側連結部及び吊持側連結部の別の変形例を示した鉛直断面図。
【図１４】シート側連結部及び吊持側連結部の別の変形例を示した鉛直断面図。
【発明を実施するための形態】
【００４３】
以下、本発明に係る雨養生シートの実施の形態について、添付図面を参照して説明する。
【００４４】
図１は、本実施形態に係る雨養生シートを示した図である。同図でわかるように、本実施形態に係る雨養生シートは、シート本体２と、該シート本体をクレーンで吊持するための吊持部材３とで構成してある。
【００４５】
シート本体２は、同図(a)、(b)でよくわかるように全体が矩形状をなし、耐水性を有する材料、例えばポリエチレンで製造するとともに、雨養生の対象範囲に応じて、例えば１０ｍ×１０ｍ程度に形成してある。
【００４６】
シート本体２のうち、施工途中の建物に配置したときに下を向く側（他方の側。以下、裏側と呼ぶ。）には、同図(b)に示すように、結束部材９を周縁近傍に複数箇所取り付けてある。
【００４７】
結束部材９は図２に示すように、基端側がシート本体２の裏側の面に固着されたベルト２２，２２で構成してあり、該ベルトは、施工途中における建物の横架材、例えば軒桁２１の天端にシート本体２の周縁を載せた状態で該横架材の両側方からそれぞれ廻した上、それらの先端同士を軒桁２１の下面側で結ぶことで、シート本体２の周縁を軒桁２１に結び付けることができるようになっている。
【００４８】
ベルト２２，２２は同図(b)に示すように、軒桁２１の梁幅Ｗよりも若干大きい距離Ｗ′だけ、シート本体２の周縁から後退させた位置にその基端側を固着してあり、後述するようにシート本体２，２の周縁を重ねて配置することもできるようになっている。
【００４９】
吊持部材３は図１(c)に示すように、ロープ５とその一端に取り付けられた吊持側連結部６と他端に設けられたフック掛止部７とからなり、該フック掛止部は、クレーンのフック８に掛止できるようになっている。
【００５０】
一方、シート本体２の中央近傍には吊持用開口４を設けてあるが、該吊持用開口には図３に示すようにシート側連結部３２が配置してあり、吊持側連結部６は、シート本体２のうち、建物に配置したときに上を向く側（一方の側。以下、表側と呼ぶ。）からシート側連結部３２に連結できるようになっている。
【００５１】
シート側連結部３２は、吊持用開口４の開口縁部に取り付けられた環状部材３１と、該環状部材を挟み込む鍔３４，３４が周面に設けられた筒状部材としてのスリーブ３３とから構成してあり、該スリーブは、環状部材３１に案内されるようにしてその材軸廻りに回転できるようになっているとともに、シート本体２の表側及び裏側に突出された部分４１，４２を廻すことにより、シート本体２の両側で回転操作できるようになっている。
【００５２】
また、スリーブ３３の内面には雌ネジ３６を形成してあるとともに、該雌ネジに螺合する雄ネジ３５を吊持側連結部６に設けてあり、シート本体２の表側からスリーブ３３の突出部分４１を廻すことにより、吊持側連結部６の雄ネジ３５をスリーブ３３に螺合するとともに、シート本体２がクレーンで吊持された状態においては、シート本体２の裏側からスリーブ３３の突出部分４２を廻すことにより、吊持側連結部６の雄ネジ３５とスリーブ３３との螺合状態を解除し、吊持部材３をシート本体２から取り外すことができるようになっている。
【００５３】
一方、雨養生シートは、スリーブ３３の雌ネジ３６に螺合可能な雄ネジ４０が先端に設けられた排水ホース３９を備えており、該排水ホースは、吊持部材３を取り外した後、雄ネジ４０をスリーブ３３に差し込むとともに該スリーブの裏側突出部分４２を廻すことで、シート側連結部３２に接続されるとともに、スリープ３３のうち、表側突出部分４１に形成された透水孔３８から流入した雨水を排水できるようになっている。
【００５４】
すなわち、シート本体２に形成された吊持用開口４は、該シート本体を吊持するためのシート側連結部３２を設置するために用いられるだけではなく、該シート側連結部に接続された排水ホース３９に雨水を導くための排水口としても機能する。
【００５５】
本実施形態に係る雨養生シートを用いて施工途中の建物を降雨から保護するには、天候の悪化に応じて、まず、吊持部材３の吊持側連結部６に設けられた雄ネジ３５をシート本体２の吊持用開口４に配置されたシート側連結部３２のスリーブ３３にシート本体２の表側から差し込み、かかる状態でスリーブ３３の表側突出部分４１を掴んで廻すことにより、雄ネジ３５をスリーブ３３に螺合して吊持側連結部６をシート側連結部３２に連結する。
【００５６】
次に、吊持部材３の他端に設けられたフック掛止部７をクレーンのフック８に掛止する。
【００５７】
このようにすると、吊持部材３を介してシート本体２を吊上げ可能な状態となるので、該シート本体をトラックの荷台や資材置き場から吊り上げ、かかる状態のまま、クレーンブームの旋回動作や伸縮動作によって施工途中の建物の上方位置までシート本体２を移動させる。
【００５８】
次に、図４に示すように、吊持部材３から垂れ下がっているシート本体２の裾を周囲に拡げるようにしながら、その周縁近傍に設けられた結束部材９を、施工途中の建物５１の外周位置に配置された横架材である軒桁２１及びそれに直交する妻梁５３に結び付ける（図２参照）。
【００５９】
ここで、結束部材９によるシート本体２の結束作業は、シート本体２がクレーンに吊持された状態で行なわれるため、折りたたみ状態ゆえに展開が困難になる懸念はないし、シートの重さで作業性が低下することもない。さらに、軒桁２１に上る必要はなく、二階の作業床から行うことができるため、安全性の確保も可能である。
【００６０】
シート本体２の周縁近傍を結束部材９を介して建物５１の軒桁２１に結び付けたならば、必要に応じて吊持高さを適宜上下させて調整し、しかる後、シート本体２の裏側からスリーブ３３を廻すことによって、吊持側連結部６とシート側連結部３２との連結状態を解除し、次いで、クレーンワイヤーを巻き上げ、吊持部材３だけを引上げ撤去する。
【００６１】
また、吊持部材３が撤去された後、シート本体２の裏側からシート側連結部３２に排水ホース３９を差し込んでスリーブ３３の裏側突出部分３３を廻すことにより、排水ホース３９をシート側連結部３２に連結する。
【００６２】
かかる状況では、シート本体２は図５に示すように、自重により、建物５１に対してシート本体２がＶ字状に配置された状態となり、吊持用開口４に向かう水勾配が形成されるので、シート本体２に降った雨水は、吊持用開口４に集水された後、シート側連結部３２を介して排水ホース３９へと流れ込む。
【００６３】
天候が回復したならば、吊持部材３の吊持側連結部６をシート本体２に配置されたシート側連結部３２に再び連結するとともに、他端に設けられたフック掛止部７をクレーンのフック８に掛止し、結束部材９をほどいた状態でクレーンでシート本体２を吊り上げ、建物５１から撤去するとともに、次の使用に備えて適宜保管しておけばよい。
【００６４】
以上説明したように、本実施形態に係る雨養生シートによれば、結束部材９によるシート本体２の結束作業を、シート本体２がクレーンに吊持された状態で行うことができるため、煩わしいシートの展開作業やシートの重さによる作業性の低下がなくなり、かくして天候の変化に対し、設置や撤去を迅速に行うことが可能となる。加えて、軒桁２１に上らずとも二階作業床から結束作業ができるので、安全性も高い。
【００６５】
また、本実施形態に係る雨養生シートによれば、シート側連結部３２に排水ホース３９を連結するようにしたので、図５に示すＶ字状の配置形態においては、シート本体２に降り注いだ雨水は、中央近傍に位置する吊持用開口４に向かって流れ、さらに該吊持用開口に配置されたシート側連結部３２のスリーブ３３に形成された透水孔３８から流入し、排水ホース３９へと導かれるため、シート本体２に降り注いだ雨水をスムーズに排水することが可能となる。
【００６６】
また、本実施形態に係る雨養生シートによれば、シート本体２を取り付けるために外部足場を一切利用しないため、外部足場は、シート本体２の設置によって何らの制限も受けることなく、組立や解体を任意の工程で自在に行うことが可能となり、例えば図５(b)に示すように、資材の搬出入のために一部が解体された状態で外部足場５２を組むことが可能となる。
【００６７】
本実施形態では、結束部材９を建物５１の軒桁２１に結び付けるようにしたが、これは在来軸組構法による建物を想定したものであって、例えばツーバイフォー工法の建物であれば、壁の上縁に結束部材９を結び付けるようにすればよい。
【００６８】
また、本実施形態では、小屋組の組立が開始されていないことを前提としたが、小屋組の軸組部分が既に施工済みの場合には、図６のように小屋組を覆うように逆Ｖ字状にシート本体２を配置し、例えば垂木６１の先端に結束部材９を結び付けるとともに、吊持用開口４に止水キャップを取り付けておけばよい。かかる構成においては、シート本体２に降り注いだ雨水は、該シート本体の周縁から自然落下する。
【００６９】
また、本実施形態では、建物外周位置の横架材である軒桁２１，２１及び妻梁５３，５３で囲まれた矩形領域に他の横架材が存在しないことを想定したが、例えば図７(a)に示すように建物外周位置の横架材のうち、互いに対向する軒桁２１，２１間に複数の梁７２が直交方向に架け渡されている場合（手前側の軒桁２１は図示せず）、単体のシート本体２をその周縁が外周部の軒桁２１，２１及び妻梁５３，５３に固定されるように配置する形態では、梁７２が邪魔になってシート本体２が垂れ下がらず、水勾配の確保が難しくなる。
【００７０】
かかる場合の解決策としては、同図に示すように軒桁２１，２１及びそれに直交する妻梁５３，５３の上に高さ調整材７３を重ねて配置し、該高さ調整材の天端にシート本体２の周縁が位置する状態で結束部材９を軒桁２１及び高さ調整材７３あるいは妻梁５３及び高さ調整材７３に結び付けるようにすればよい。
【００７１】
かかる構成によれば、シート本体２の周縁が高さ調整材７３の高さ分だけ上方に位置決めされることとなり、吊持用開口４に向かう水勾配を適切に確保してシート本体２に降り注いだ雨水を排水ホース３９を介して速やかに排水することが可能となる。
【００７２】
別の解決策としては、図７(b)に示すように、梁７２で仕切られた平面空間ごとにシート本体２を配置する方法を採用することができる。
【００７３】
このように複数のシート本体２を建物に配置するにあたっては、図８に示すように、隣り合うシート本体２，２の各周縁を梁７２の上で重ねるとともに、該シート本体の裏側に設けられた結束部材９，９を梁７２にそれぞれ結び付ける。
【００７４】
ここで、結束部材９は図２で説明したと同様、梁７２の梁幅Ｗよりも若干大きい距離Ｗ′だけ、シート本体２，２の周縁から後退させた位置に取り付けてあるため、図８に示すように梁軸方向に結束位置をずらすようにすれば、シート本体２，２の各周縁を重ねた状態であっても、互いに干渉することなく、それぞれの結束部材９，９を梁７２に結び付けることが可能となる。
【００７５】
また、本実施形態では特に言及しなかったが、このような結束部材９の偏心配置は、図９に示すように、シート本体２の周縁が柱９１と干渉する場合、例えば下屋への設置にも有効であり、該周縁を柱９１に沿って立ち上げるようにすることで、結束部材９による梁９２への結束が可能となる。
【００７６】
また、本実施形態では、シート本体２がその自重で垂れ下がるように建物に配置した例を説明したが、小屋組とは関係なく、逆Ｖ字状（山状）になるようにシート本体２を建物に設置してもかまわない。
【００７７】
図１０(a)は、吊持用開口４に設けられたシート側連結部３２に連結される束材１０１を示したものである。同図でわかるように、束材１０１は、ベースプレート１０２と該ベースプレートから立設された伸縮自在な束本体１０３と該束本体の先端に設けられた雄ネジ１０４とで構成してあり、該雄ネジは、シート側連結部３２のスリーブ３３の内面に形成された雌ネジ３６に螺合するようになっている。
【００７８】
同図(b)は、梁７２の中間位置に束材１０１を立設するとともに、該束材の先端に設けられた雄ネジ１０４をシート側連結部３２に連結することで、シート本体２を逆Ｖ字状に配置した様子を示したものであり、かかる構成によれば、排水手段を設ける必要がなくなる。ちなみに、吊持用開口４は、束材１０１の先端で塞がれるため、止水キャップは不要である。
【００７９】
また、本実施形態では、シート本体２を吊り降ろす際、該シート本体を垂れ下げた状態で吊り降ろすようにしたが、これに代えて、図１１に示すようにシート本体２の周縁のうち、互いに対向する一対の縁部にシート本体２を巻取る巻取り用ロッド１１１，１１１をそれぞれ設けるようにしてもよい。
【００８０】
かかる構成においては、各縁部から半分ずつ巻取り用ロッド１１１，１１１に巻き取られたシート本体２を吊持し、次いで、巻取り状態のまま建物５１の中央近傍に吊り降ろした後、該建物の軒桁２１，２１の上で巻取り用ロッド１１１，１１１を転がすようにして該巻取り用ロッドに巻き取られたシート本体２を水平二方向に展開して拡げ、次いで、シート本体２の周縁近傍に設けられた結束部材９を建物５１の軒桁２１及び妻梁５３，５３に結び付ける。
【００８１】
このようにすれば、小屋組の組立を未だ開始していない場合において、シート本体２をより効率よく配置することが可能となる。
【００８２】
また、本実施形態では、吊持用開口４の開口縁部に取り付けられた環状部材３１と、該環状部材を挟み込む鍔３４，３４が周面に設けられた筒状部材としてのスリーブ３３とからなるシート側連結部３２とそれに連結される吊持側連結部６とで本発明のシート側連結部及び吊持側連結部を構成した例を説明したが、本発明に係るシート側連結部及び吊持側連結部は、かかる構成に限定されるものではない。
【００８３】
図１２は、吊持用開口４に固定配置された鍔付き円筒スリーブ１２０、該鍔付き円筒スリーブの鍔部分に貫通配置された一対の係合爪１２３，１２３及び該一対の係合爪を解除位置に移動させるための操作手段であるプッシュボタン１２４，１２４からなるシート側連結部１２５と、一対の係合爪１２３，１２３が係止される係止凹部１２１，１２１を設けてなる吊持側連結部１２２とで本発明に係るシート側連結部及び吊持側連結部をそれぞれ構成した例であり、係止爪１２３，１２３は、図示しないバネで係合位置に付勢されている。
【００８４】
かかる構成において、吊持側連結部１２２をシート側連結部１２５に連結するには、シート本体２の表側から吊持用開口４に向けて吊持側連結部１２２を押し込む。このようにすると、係止爪１２３，１２３がバネの弾性力に逆らいながら、解除位置、同図では離間距離が狭くなる方向へと前進し、係止凹部１２１のところで後退し、該係止凹部で係止されて両者が連結される。
【００８５】
次に、この係止状態を解除するには、シート本体２の裏側からプッシュボタン１２４，１２４を指で挟み込む。このようにすると、係止爪１２３，１２３がバネの弾性力に逆らいながら、解除位置へと前進しするので、その状態でシート側連結部１２５を引っ張るようにすれば、係止爪１２３，１２３が係止凹部１２１，１２１から外れ、両者の連結が解除される。
【００８６】
なお、連結解除後は、鍔付き円筒スリーブ１２０の内周面に形成された雌ネジ３６を利用して、排水ホース３９を連結することができる。
【００８７】
図１３は、吊持用開口４に固定配置された鍔付き円筒台座１２８及び該鍔付き円筒台座の外周面に形成された雄ネジに螺合される雌ネジが内周面に形成された蓋体１２７とからなるシート側連結部１３０と、吊持側掛止部１３１からなる吊持側連結部１２９とで本発明に係るシート側連結部及び吊持側連結部をそれぞれ構成した例であり、蓋体１２７の背面側には、吊持側掛止部１３１に係止される蓋体側掛止部１２６を立設してある。
【００８８】
蓋体側掛止部１２６は、例えば外れ止めが付いたフックで構成すればよい。
【００８９】
かかる構成において、吊持側連結部１２９をシート側連結部１３０に連結するには、鍔付き円筒台座１２８に予め蓋体１２７を取り付けておき、かかる状態でシート本体２の表側から吊持側連結部１２９を構成する吊持側掛止部１３１を蓋体側掛止部１２６に掛止する。
【００９０】
次に、この係止状態を解除するには、シート本体２の裏側で蓋体１２７を鍔付き円筒台座１２８から取り外す操作を行い、しかる後、吊持側掛止部１３１を蓋体側掛止部１２６から取り外せばよい。
【００９１】
なお、連結解除後は、鍔付き円筒台座１２８の外周面に形成された雄ネジを利用して、排水ホースを連結することができるとともに、シート本体を逆Ｖ字状に配置する場合には、蓋体１３０を止水キャップとしてそのまま利用することができる。なお、この場合に用いる排水ホースは、排水ホース３９の雄ネジ４０を、鍔付き円筒台座１２８の外周面に形成された雄ネジに螺合可能な雌ネジに置き換えたものとすればよい。
【００９２】
図１４は、吊持用開口４に固定配置された鍔付き円筒台座１２８及び該鍔付き円筒台座の外周面に形成された雄ネジに螺合される雌ネジが内周面に形成された蓋体１３２とからなるシート側連結部１３３と、雄ネジ３５からなる吊持側連結部６とで本発明に係るシート側連結部及び吊持側連結部をそれぞれ構成した例であり、蓋体１３２の内側には、上述した鍔付き円筒台座１２８の雄ネジに螺合される雌ネジに加えて、雄ネジ３５に螺合される雌ネジ１３４が二段形成してある。
【００９３】
かかる構成において、吊持側連結部６をシート側連結部１３３に連結するには、鍔付き円筒台座１２８に予め蓋体１３２を取り付けておき、かかる状態でシート本体２の表側から吊持側連結部６を構成する雄ネジ３５を蓋体１３２の雌ネジ１３４に螺合する。
【００９４】
次に、この螺合状態を解除するには、シート本体２の裏側で蓋体１３２を鍔付き円筒台座１２８から取り外す操作を行い、しかる後、雄ネジ３５を蓋体１３２の雌ネジ１３４から取り外せばよい。
【００９５】
なお、連結解除後は、鍔付き円筒台座１２８の外周面に形成された雄ネジを利用して、排水ホースを連結することができるとともに、シート本体を逆Ｖ字状に配置する場合には、蓋体１３２を止水キャップとしてそのまま利用することができる。なお、この場合に用いる排水ホースも上述した変形例と同様、排水ホース３９の雄ネジ４０を、鍔付き円筒台座１２８の外周面に形成された雄ネジに螺合可能な雌ネジに置き換えたものとすればよい。
【００９６】
また、本実施形態及び上述した各変形例では、排水ホース３９の雄ネジ４０をスリーブ３３や鍔付き円筒スリーブ１２０の雌ネジに螺合し、又は排水ホース３９の雄ネジ４０を雌ネジに置換した上、該雌ネジを、鍔付き円筒台座１２８の雄ネジに螺合することで、排水ホースをシート側連結部に接続するようにしたが、本発明に係る排水ホースとシート側連結部との接続構造は、このような螺合方式に限定されるものではなく、係合や嵌合を含む様々な接続方式から任意に選択することが可能であって、ワンタッチジョイントと一般に呼ばれている接続構造も当然採用することが可能である。
【符号の説明】
【００９７】
２                 シート本体（雨養生シート）
３                 吊持部材（雨養生シート）
４                 吊持用開口
６                 吊持側連結部
７                 フック掛止部
９                 結束部材
２１                 軒桁（横架材）
３１                 環状部材
３２                 シート側連結部
３３                 円筒スリープ（筒状部材）
３６                 雌ネジ
３９                 排水ホース
５１                 施工途中の建物
５３                 妻梁（横架材）
７２                 梁（横架材）
７３                 高さ調整材
１０１                 束材
１１１                 巻取り用ロッド
１２１                 係止凹部
１２２，１２９         吊持側連結部
１２３                 係止爪
１２５，１３０，１３３ シート側連結部
１２６                 蓋体側掛止部
１２７，１３２         蓋体
１３１                 吊持側掛止部
１３４                 雌ネジ
【図１】
2011174315.tif 000003
【図２】
2011174315.tif 000004
【図３】
2011174315.tif 000005
【図４】
2011174315.tif 000006
【図５】
2011174315.tif 000007
【図６】
2011174315.tif 000008
【図７】
2011174315.tif 000009
【図８】
2011174315.tif 000010
【図９】
2011174315.tif 000011
【図１０】
2011174315.tif 000012
【図１１】
2011174315.tif 000013
【図１２】
2011174315.tif 000014
【図１３】
2011174315.tif 000015
【図１４】
2011174315.tif 000016